(57)【特許請求の範囲】
【請求項１】
主体部と、台座とを有し、前記台座は互いに接続される頚部と第１ベースとを備える液晶表示装置であって、
前記液晶表示装置はスライディング・カバーをさらに備え、該スライディング・カバーは、該スライディング・カバーの一端が前記主体部に回転可能に接続されており、且つ、第１位置から第２位置の間で滑るように前記台座の頚部に固定され、
前記スライディング・カバーは、前記第１のベースとの間隔を調整することによって前記第１のベースと一緒に物を挟むクリップとして使用するための第２ベースと、
前記第２のベース及び前記スライディング・カバーを前記頚部の異なる位置に固定するためのファスナーと、
を有することを特徴とする液晶表示装置。
【請求項２】
前記頚部は二つの支持アームを有し、該二つの支持アームの間はバーによって接続されることを特徴とする請求項１に記載の液晶表示装置。
【請求項３】
前記スライディング・カバーは一つの透かし部と、複数のロック孔とを備えることを特徴とする請求項２に記載の液晶表示装置。
【請求項４】
前記ファスナーはバッフルと、回転軸とを備えることを特徴とする請求項３に記載の液晶表示装置。
【請求項５】
前記スライディング・カバーは、前記ロック孔によって固定する上方スライディング・カバーと、下方スライディング・カバーとを有し、前記バッフル及び前記回転軸は上方スライディング・カバーと下方スライディング・カバーとの間に設けられることを特徴とする請求項４に記載の液晶表示装置。
【請求項６】
前記ファスナーは、前記回転軸に設けられた押さえボードを更に備えることを特徴とする請求項４に記載の液晶表示装置。
【発明の詳細な説明】
【技術分野】
【０００１】
本発明は、液晶表示装置に係り、特に、高度を調整することができる液晶表示装置に関するものである。
【背景技術】
【０００２】
液晶表示装置は、軽量、薄型、低電力消費の機能を持ち、現状のＣＲＴ表示装置の代替、又は、パーソナル・コンピュータ、ワードプロセッサ、テレビ表示用等の各種表示装置として利用されて注目を浴びている。
【０００３】
現在の液晶表示装置は、使い勝手の良さを与えるために、スタンド部と主体部とを接続する部分に設置されたヒンジによって、液晶表示装置の主体部を回転し、前記液晶表示装置の主体部とスタンド部との傾く角度を調節することができる。
【０００４】
図１は、従来の一種の液晶表示装置の構成を示す図である。液晶表示装置１は、台座２と、頚部４と、ヒンジ６と、主体部８とを備える。前記頚部４は台座２に設置される。前記ヒンジ６は頚部４に設置される。主体部８はヒンジ６によって頚部４に接続される。前記主体部８はヒンジ６によって台座２に対して回転することができ、従って、主体部８と台座２との傾く角度を調節することができる。
【０００５】
しかし、従来の液晶表示装置は、主体部８と台座２との傾く角度だけを調節することができ、ユーザの需要によって、主体部８の高度を調節できなく、異なる需要があるユーザに、使い勝手の良さを与えることができないという問題があった。
【発明の開示】
【発明が解決しようとする課題】
【０００６】
本発明の目的は、前記のこうした課題を解決し、高度を調節することができる液晶表示装置を提供することである。
【課題を解決するための手段】
【０００７】
前記目的を達成するため、本発明に係る液晶表示装置は、主体部と、台座とを備え、前記台座は互いに接続される頚部と第１シートとを有し、前記液晶表示装置はさらにスライディング・カバーを備え、スライディング・カバーの上端は前記主体部に接続されており、且つ、前記台座の頚部に固定されており、第１位置から第２位置の間でスライディング・カバーと頚部とは相対的に滑ることができる。
【発明の効果】
【０００８】
本発明の液晶表示装置は、ユーザの異なる需要によって、主体部の高度を調節でき、且つ、物を挟むクリップとして使用されることにより、主体部をある物に固定し、空間を有効的に利用するように液晶表示装置を置くことができる。
【発明を実施するための最良の形態】
【０００９】
図２は、本発明の液晶表示装置の構成を示す図である。液晶表示装置９は、主体部１０と、枢設部１２と、スタンド部１４を備える。
【００１０】
図４は、図２に示す液晶表示装置のスタンド部の分解図である。前記スタンド部１４は、台座１６と、スライディング・カバー１８とを備える。前記台座１６は、頚部２２と第１ベース２４を備える。前記頚部２２は、二つの支持アーム３６を有し、前記二つの支持アーム３６の間はバー３８によって接続される。前記スライディング・カバー１８は、上方スライディング・カバー２８と、下方スライディング・カバー３０と、ファスナー２０とを備えている。前記ファスナー２０は、バッフル３２と、回転軸３４と、押さえボード４４とを有する。前記押さえボード４４は回転軸３４に設けられ、前記押さえボード４４の回転に伴って回転軸３４も回転される。前記バッフル３２及び回転軸３４は、上方スライディング・カバー２８と下方スライディング・カバー３０との間に固定される。前記上方スライディング・カバー２８は第２ベース２６を備え、該第２ベース２６は第１ベース２４と対応して設置される。前記スライディング・カバー１８は、さらに、一つの透かし部４０と、複数のロック孔４２とを備える。前記複数のロック孔４２によって、上方スライディング・カバー２８と、下方スライディング・カバー３０とを固定させる。
【００１１】
図３は、図２に示す液晶表示装置のファスナー２０を開けた際の構成を示す図である。図５は、図２に示す液晶表示装置のファスナー２０を閉じた際の構成を示す図である。前記スライディング・カバー１８は頚部２２に設置されており、且つ、第１位置（図２に示した位置）と第２位置（図５に示した位置）の間で滑ることができる。前記第１位置とは、スライディング・カバー１８が台座１６の第１ベース２４に向かって滑動され、上方スライディング・カバー２８の第２ベース２６と台座１６の第１ベース２４とが重なり合われた際の状態を指す。一方、前記第２位置とは、スライディング・カバー１８が登られ、スライディング・カバー１８の透かし部４０が頚部２２のバー３８に当接された際の状態を指す。前記押さえボード４４を開けた場合、前記回転軸３４はバッフル３２を解放し、バッフル３２は頚部２２の支持アーム３６から離れ、スライディング・カバー１８と頚部２２とは相対的に滑ることができる。前記押さえボード４４を閉じた場合、回転軸３４はバッフル３２に当接され、また、バッフル３２は支持アーム３６に当接され、スライディング・カバー１８を頚部２２に固定させる。
【００１２】
前記液晶表示装置９のスライディング・カバー１８と頚部２２とは相対的に滑ることにより、ユーザの異なる需要に応じて、主体部１０の高度を調節することができる。
【００１３】
なお、前記液晶表示装置９のスライディング・カバー１８と頚部２２とが相対的に滑ることにより、第１ベース２４と第２ベース２６との間隔を調節でき、第１ベース２４と第２ベース２６とが、物を挟むクリップとして使用され、これにより、液晶表示装置９の主体部１０をある物に固定し、空間を有効的に利用するように液晶表示装置９を置くことができる。
【図面の簡単な説明】
【００１４】
【図１】従来の液晶表示装置の構成を示す図である。
【図２】本発明の液晶表示装置の構成を示す図である。
【図３】図２に示す液晶表示装置のファスナーを開けた際の構成を示す図である。
【図４】図２に示す液晶表示装置のスタンド部の分解図である。
【図５】図２に示す液晶表示装置のファスナーを閉じた際の構成を示す図である。
【符号の説明】
【００１５】
２  台座
４  頚部
６  ヒンジ
８  主体部
９  液晶表示装置
１０  主体部
１２  枢設部
１４  スタンド部
１６  台座
１８  スライディング・カバー
２０  ファスナー
２２  頚部
２４  第１ベース
２６  第２ベース
２８  上方スライディング・カバー
３０  下方スライディング・カバー
３２  バッフル
３４  回転軸
３６  支持アーム
３８  バー
４０  透かし部
４２  ロック孔
４４  押さえボード
【図１】
0005248768.tif 000002
【図２】
0005248768.tif 000003
【図３】
0005248768.tif 000004
【図４】
0005248768.tif 000005
【図５】
0005248768.tif 000006